【手続補正書】
【提出日】平成21年3月23日(2009.3.23)
【手続補正１】
【補正対象書類名】特許請求の範囲
【補正対象項目名】全文
【補正方法】変更
【補正の内容】
【特許請求の範囲】
【請求項１】
ｉ）浄化すべき空気の流れを多孔質担体媒体と接触させる工程、
ｉｉ）前記担体媒体を水性液体で洗浄する工程、
ｉｉｉ）工程ｉｉ）で使用された水性液体をタンクに回収する工程
を含み、
前記担体媒体がその表面に硝化細菌と従属栄養微生物のコロニーを含む材料であり、
工程ｉｉ）で適用される水性液体が栄養素の点で前記細菌及び微生物の生存能と活性を確保する組成を有し、
異なるタイプの細菌と微生物の間のバランスが工程ｉｉｉ）で回収される液体を測定することにより制御され、必要に応じて、工程ｉｉ）で使用される液体の溶存化合物に関する組成がこの測定に基づいて調節される空気清浄法であって、前記測定が導電率の測定に関するものであり、前記工程ｉｉ）で適用される水性液体が５〜８０ｍＳ／ｃｍの導電率を示すよう調節されることを特徴とする、空気清浄法。
【請求項２】
ｉａ）浄化すべき空気の流れを第１フィルターの多孔質担体媒体と接触させる工程、
ｉｂ）前記空気を第２フィルターの多孔質担体媒体と接触させる工程、
ｉｉ）各フィルターの前記担体媒体をそれぞれ水性液体で洗浄する工程、
ｉｉｉ）各フィルターに関して工程ｉｉ）で使用された水性液体を回収する工程
を含み、
各フィルターの前記担体媒体がその表面に独立栄養硝化細菌と従属栄養微生物のコロニーを含む材料を有し、
工程ｉｉ）で適用される水性液体が栄養素の点で前記細菌及び微生物の生存能と活性を確保する組成を有し、
異なるタイプの細菌と微生物の間のバランスが工程ｉｉｉ）で回収される液体を測定することにより制御され、必要に応じて、工程ｉｉ）で使用される液体の溶存化合物に関する組成がこの測定に基づいて調節される空気清浄法であって、前記測定が導電率の測定に関するものであり、前記工程ｉｉ）で適用される水性液体が５〜８０ｍＳ／ｃｍの導電率を示すよう調節されることを特徴とする、空気清浄法。
【請求項３】
前記担体媒体が連続的に洗浄される、請求項１又は２に記載の空気清浄法。
【請求項４】
前記担体媒体の表面積／体積比が３００〜１０００ｍ2／ｍ3である、請求項１〜３のいずれか１項に記載の空気清浄法。
【請求項５】
前記担体媒体が、セルロースを含む、請求項１〜４のいずれか１項に記載の空気清浄法。
【請求項６】
前記担体媒体が、空気を流しうる本質的に平行な配向の複数の流路を形成するよう配置される複数の段ボールシートによって形成されたパッドを含む、請求項５に記載の空気清浄法。
【請求項７】
前記担体媒体が、焼成された多孔質発泡クレー骨材又はガラス繊維シートからなる材料を含む、請求項１〜４のいずれか１項に記載の空気清浄法。
【請求項８】
前記硝化細菌が、ニトロソモナス・エウロペア（Ｎｉｔｒｏｓｏｍｏｎａｓ ｅｕｒｏｐｅａ）、ニトロソモナス・モビリス（Ｎｉｔｒｏｓｏｍｏｎａｓ ｍｏｂｉｌｉｓ）、ニトロソモナス属の一種（Ｎｉｔｒｏｓｏｍｏｎａｓ ｓｐ）、ニトロソスピラ属の一種（Ｎｉｔｒｏｓｏｓｐｉｒａ ｓｐ）及びニトロバクター属の一種（Ｎｉｔｒｏｂａｃｔｅｒ ｓｐ）を含む群より選択される、請求項１〜７のいずれか１項に記載の空気清浄法。
【請求項９】
前記従属栄養微生物が、サイトファーガ（Ｃｙｔｏｐｈａｇａ）、ベータプロテオバクテリア（Ｂｅｔａ Ｐｒｏｔｅｏｂａｃｔｅｒｉａ）、ガンマプロテオバクテリア（Ｇａｍｍａ Ｐｒｏｔｅｏｂａｃｔｅｒｉａ）を含む群より選択される、請求項１〜８のいずれか１項に記載の空気清浄法。
【請求項１０】
前記工程ｉｉ）で適用されるべき水性液体が主要栄養素と微量栄養素を含む、請求項１〜９のいずれか１項に記載の空気清浄法。
【請求項１１】
前記主要栄養素が、リン酸塩、カルシウムイオン、マグネシウムイオン、カリウムイオン、ナトリウムイオン及び／又は硫黄イオンを含む、請求項１０に記載の空気清浄法。
【請求項１２】
前記微量栄養素が、ビタミン類及び微量金属を含む、請求項１０に記載の空気清浄法。
【請求項１３】
前記工程ｉｉｉ）において、前記第１フィルターの洗浄処理に由来する水性液体が第１タンクに回収され、前記第２フィルターの洗浄処理に由来する水性液体が第２タンクに回収され、液体の流れが前記第２タンクから前記第１タンクへ確立され、該第２タンクが新鮮な水で補給され、該第１タンクに含まれる水性液体の一部が廃棄され、また、前記工程ｉｉ）において、前記第１フィルターの担体媒体が前記第１タンクに由来する水性液体で洗浄され、前記第２フィルターの担体媒体が前記第２タンクに由来する水性液体で洗浄されて、向流洗浄プロセスとなるようにされる、請求項２に記載の空気清浄法。
【請求項１４】
前記工程ｉｉｉ）において、前記第１フィルターの洗浄処理に由来する水性液体が第１タンクに回収され、前記第２フィルターの洗浄処理に由来する水性液体が第２タンクに回収され、液体の流れが前記第２タンクから前記第１タンクへ確立され、該第１タンクに含まれる水性液体の一部が廃棄され、また、前記工程ｉｉ）において、前記第１フィルターの担体媒体が前記第１タンクに由来する水性液体で洗浄され、前記第２フィルターの担体媒体が新鮮な水で洗浄されて、向流洗浄プロセスとなるようにされる、請求項２に記載の空気清浄法。
【請求項１５】
前記工程ｉｉｉ）で回収された水性液体の少なくとも一部が、前記工程ｉｉ）で使用されるよう再循環される、請求項１に記載の空気清浄法。
【請求項１６】
前記工程ｉｉｉ）において、フィルターの洗浄処理に由来する水性液体がタンクに回収され、該タンクに含まれる水性液体の一部が廃棄され、該タンクが新鮮な水で補給され、また、前記工程ｉｉ）において、フィルターの担体媒体が前記タンクに由来する水性液体で洗浄される、請求項１に記載の空気清浄法。
【請求項１７】
前記工程ｉｉｉ）において、フィルターの洗浄処理に由来する水性液体がタンクに回収され、該タンクに含まれる水性液体の一部が廃棄され、また、前記工程ｉｉ）において、フィルターの担体媒体が新鮮な水で洗浄される、請求項１に記載の空気清浄法。
【請求項１８】
前記水性液体の測定が、（２つ以上のフィルターの場合に）対応するタンクに向かう途中で浄化すべき空気と接触する最初のフィルターであるフィルターを出る液体に関して行われるか、又は前記対応するタンク中に存在する液体に関して行われる、請求項１３〜１７のいずれか１項に記載の空気清浄法。
【請求項１９】
前記工程ｉｉｉ）で回収された水性液体に関して行われる測定が、以下のパラメータ、すなわち、アンモニア濃度、アンモニウム濃度、亜硝酸塩濃度、リン酸塩濃度のうち１つ又は複数の測定に関するものである、請求項１〜１８のいずれか１項に記載の空気清浄法。
【請求項２０】
前記工程ｉｉ）で適用される水性液体が８〜６０ｍＳ／ｃｍの導電率を示すよう調節される、請求項１〜１９のいずれか１項に記載の空気清浄法。
【請求項２１】
浄化すべき空気がアンモニア及び／又は他の臭気化合物を含む、請求項１〜２０のいずれか１項に記載の空気清浄法。
【請求項２２】
浄化すべき空気が、畜舎に由来する空気であるか又は家畜糞尿堆肥化設備に由来する空気である、請求項１〜２１のいずれか１項に記載の空気清浄法。
【請求項２３】
硝化細菌と従属栄養微生物のコロニーの形成、確立及び生存能を可能にする表面特性を有する多孔質材料の担体媒体であって筐体中に収容された担体媒体、
前記筐体に空気の流れを供給して該空気を前記担体媒体の表面と接触させるための手段、及び該担体媒体と接触された空気を該筐体の外に導くための手段、
前記担体媒体を水性液体で洗浄するための手段、
洗浄後の水性液体を回収するための手段、
洗浄に使用された液体の特性を測定するための測定手段、及び
洗浄に使用される水性液体の組成を調節するための制御手段
を含む、請求項１に記載の空気清浄法の実施に適した空気清浄用装置であって、前記測定手段が前記液体の導電率を５〜８０ｍＳ／ｃｍに維持するために洗浄に使用される水性液体の組成を調節するよう構成された導電率制御手段を含むことを特徴とする、空気清浄用装置。
【請求項２４】
独立栄養硝化細菌と有機従属栄養微生物のコロニーの形成、確立及び生存能を可能にする表面特性を有する多孔質材料の担体媒体を含む第１フィルター、
独立栄養硝化細菌と有機従属栄養微生物のコロニーの形成、確立及び生存能を可能にする表面特性を有する多孔質材料の担体媒体を含む第２フィルターであって、前記第１フィルターと該第２フィルターが筐体中に収容されている第２フィルター、
前記筐体に空気の流れを供給して該空気を前記第１フィルターの担体媒体の表面と接触させ、続いて該空気を前記第２フィルターの担体媒体の表面と接触させるための手段、
各フィルターの担体媒体とそれぞれ接触された空気を前記筐体の外に導くための手段、
前記第１フィルターの担体媒体を水性液体で洗浄するための手段、
前記第１フィルターの担体媒体を洗浄した後に得られた水性液体を回収するための手段、
前記第２フィルターの担体媒体を水性液体で洗浄するための手段、
前記第２フィルターの担体媒体を洗浄した後に得られた水性液体を回収するための手段、及び
洗浄に使用された液体の特性を測定するための測定手段
を含む、請求項２に記載の空気清浄法の実施に適した空気清浄用装置であって、前記測定手段が前記液体の導電率を５〜８０ｍＳ／ｃｍに維持するために洗浄に使用される水性液体の組成を調節するよう構成された導電率制御手段を含むことを特徴とする、空気清浄用装置。
【請求項２５】
洗浄に再利用するために洗浄に使用された水性液体を再循環するための手段をさらに含む、請求項２３又は２４に記載の空気清浄用装置。
【請求項２６】
前記担体媒体の表面積／体積比が３００〜１０００ｍ2／ｍ3である、請求項２３〜２５のいずれか１項に記載の空気清浄用装置。
【請求項２７】
前記担体媒体が、セルロースを含む、請求項２３〜２６のいずれか１項に記載の空気清浄用装置。
【請求項２８】
前記担体媒体が、空気を流しうる本質的に平行な配向の複数の流路を形成するよう配置される複数の段ボールシートによって形成されたパッドを含む、請求項２７に記載の空気清浄用装置。
【請求項２９】
前記測定手段が、以下のパラメータ、すなわち、アンモニウム濃度、アンモニア濃度、亜硝酸塩濃度、リン酸塩濃度のうち１つ又は複数の測定にさらに関するものである、請求項２３〜２８のいずれか１項に記載の空気清浄用装置。
【請求項３０】
前記第１フィルターの洗浄処理に由来する水性液体を収容するための第１タンク、前記第２フィルターの洗浄処理に由来する水性液体を収容するための第２タンク、液体の流れを前記第２タンクから前記第１タンクへ確立するための手段、該第２タンクを新鮮な水で補給するための手段、該第１タンクに含まれる水性液体の一部を廃棄するための手段、前記第１フィルターの担体媒体を前記第１タンクに由来する水性液体で洗浄するための手段、前記第２フィルターの担体媒体を前記第２タンクに由来する水性液体で洗浄して向流洗浄プロセスとなるようにするための手段を含む、請求項２４に記載の空気清浄用装置。
【請求項３１】
前記第１フィルターの洗浄処理に由来する水性液体を収容するための第１タンク、前記第２フィルターの洗浄処理に由来する水性液体を収容するための第２タンク、液体の流れを前記第２タンクから前記第１タンクへ確立するための手段、該第１タンクに含まれる水性液体の一部を廃棄するための手段、前記第１フィルターの担体媒体を前記第１タンクに由来する水性液体で洗浄するための手段、前記第２フィルターの担体媒体を新鮮な水で洗浄して向流洗浄プロセスとなるようにするための手段を含む、請求項２４に記載の空気清浄用装置。
【請求項３２】
フィルターの洗浄処理に由来する水性液体を収容するためのタンク、該タンクに含まれる水性液体の一部を廃棄するための手段、該タンクを新鮮な水で補給するための手段、フィルターの担体媒体を前記タンクに由来する水性液体で洗浄するための手段を含む、請求項２３に記載の空気清浄用装置。
【請求項３３】
フィルターの洗浄処理に由来する水性液体を収容するためのタンク、該タンクに含まれる水性液体の一部を廃棄するための手段、フィルターの担体媒体を新鮮な水で洗浄するための手段を含む、請求項２３に記載の空気清浄用装置。
【請求項３４】
（２つ以上のフィルターの場合に）対応するタンクに向かう途中で浄化すべき空気と接触する最初のフィルターであるフィルターを出る液体に関して測定を行うか、又は前記対応するタンク中に存在する液体に関して測定を行うための手段を含む、請求項３０〜３３のいずれか１項に記載の空気清浄用装置。
【請求項３５】
１つ又は複数のフィルター上の圧力に関するパラメータ及び／又は以下のパラメータ、すなわち、アンモニア及び臭気、並びに酪酸、パラクレゾール、モノメチルフェノール、ジメチルフェノール、トリメチルフェノール及びトリメチルアミンのうち１つ又は複数を使用することによって制御するための手段をさらに含む、請求項２３〜３４のいずれか１項に記載の空気清浄用装置。
【請求項３６】
請求項２３〜３５のいずれか１項に記載の空気清浄用装置を含む構造体。
【請求項３７】
畜舎又は家畜糞尿堆肥化設備における空気の清浄のための、請求項２３〜３５のいずれか１項に記載の空気清浄用装置の使用。